(57)【要約】【課題】  出っ張り感がなく、下方側に広い空間を確保することができ、しかも強固な設置状態が得られる桶台カウンターを提供する。【解決手段】  壁に固定される基部１３と、基部１３に根元が固定される複数の棒体１０，１０，１０と、複数の棒体１０，１０，１０上に固定される天板１１と、基部１３および複数の棒体１０，１０，１０の根元のみを覆う長尺カバー９で構成され、配管２０ａ，２０ｂも長尺カバー９で覆うことができ、長尺カバー９は基部１３に取り付けられた係止部材１４，１４，１４に係止させることができる。【選択図】  図５
2006212358.tif 000002
【特許請求の範囲】
【請求項１】
壁に固定される基部と、該基部に根元が固定される複数の棒体と、該複数の棒体上に固定される天板と、前記基部および前記複数の棒体の根元のみを覆うカバーで構成され、該複数の棒体の根元は略直線状に並設されて、該複数の棒体の根元は長尺カバーで覆われていることを特徴とする桶台カウンター。
【請求項２】
前記基部に沿設される配管も前記長尺カバーで覆うように構成したことを特徴とする請求項１に記載の桶台カウンター。
【請求項３】
前記基部に、前記長尺カバーを係止するための係止部材を設けたことを特徴とする請求項１または請求項２に記載の桶台カウンター。
【発明の詳細な説明】
【技術分野】
【０００１】
本発明は、洗面器を置くことのできる浴室に設置される桶台カウンターに関するものである。
【背景技術】
【０００２】
従来、浴室に設置されて上面に洗面器を置くことのできる桶台カウンターは、浴室の壁面にブラケットで固定され、このブラケット全体を樹脂成形カバーで覆い隠す構造のものが主流である。
なお、特許文献１に開示されているように、浴室壁面から略水平に棒状部材を固設して、この棒状部材上に透明のカウンターを取り付けた構造のものも存在する。
【特許文献１】特開２００４−２４７７３号公報
【発明の開示】
【発明が解決しようとする課題】
【０００３】
従来のブラケット全体を樹脂成形カバーで覆い隠す構造の桶台カウンターでは、狭い浴室空間内に桶台カウンターが出っ張って、心理的に邪魔になるという問題点があった。
なお、特許文献１に開示されているような構造では、出っ張り感を軽減し、洗練された意匠を実現することができるが、洗面器を載せるために十分な強度を確保することは困難であり、強度を確保するために相応のブラケット構造とすると、ブラケット等の構造部材をすっきりと収めることができなくなるという問題点があった。
【課題を解決するための手段】
【０００４】
本発明は上記従来の問題点に鑑み案出したものであって、出っ張り感を軽減でき、洗練された意匠を実現できて、しかも強度的に優れ、安価に製作できる桶台カウンターを提供するものであり、その請求項１は、壁に固定される基部と、該基部に根元が固定される複数の棒体と、該複数の棒体上に固定される天板と、前記基部および前記複数の棒体の根元のみを覆うカバーで構成され、該複数の棒体の根元は略直線状に並設されて、該複数の棒体の根元は長尺カバーで覆われていることである。
【０００５】
また請求項２は、前記基部に沿設される配管も前記長尺カバーで覆うように構成したことである。
【０００６】
また請求項３は、前記基部に、前記長尺カバーを係止するための係止部材を設けたことである。
【発明の効果】
【０００７】
本発明の桶台カウンターは、基部と、基部に固定される複数の棒体と、天板と、基部および複数の棒体の根元のみを覆う長尺カバーで構成されていることにより、見せたくない壁への固定部分のみを長尺カバーで覆い隠し、すっきりとした外観とすることができ、隠される基部は強固な構造とすることができ、固定部分以外は露出させてデッドスペースを減らして、天板下方側の足元スペースを広く確保できるものとなる。
また、天板は市販の板から切り出して成形することができ、また長尺カバーも切断等で成形することができ、安価に構成することができ、しかも複数の棒体は共通のもので対応でき、棒体のピッチ間隔や数を増減させて、桶台カウンターの横方向長さを自由に調整できるものとなる。
【０００８】
また、基部に沿設される配管も長尺カバーで覆うように構成したことにより、長尺カバーで給水用および給湯用の配管も隠すことができ、長尺カバーは配管カバーも兼用できるため、部品点数を削減できて、すっきりと配管を収めることができるものとなる。
【０００９】
また、基部に、長尺カバーを係止するための係止部材を設けたことにより、基部に設けられている係止部材に、ワンタッチで長尺カバーを係止させることができ、組み付け作業が極めて容易なものとなる。
【実施例】
【００１０】
以下、本発明の実施例を図面に基づいて説明する。
図１は、浴室の要部斜視構成図であり、浴室１内に設置された浴槽２の洗い場３側の壁面４には、鏡５と、その側方に複数段の棚６が設けられ、鏡５の下端には水栓７が設置されて、水栓７の下方には、洗面器を置くことのできる桶台カウンター８が設置されている。
この桶台カウンター８は、長尺カバー９から４本の棒体１０，１０，１０，１０が洗い場３側へ突出され、この４本の棒体１０，１０，１０，１０上に透明な天板１１が設置されて構成されている。
なお、浴槽２のエプロン２ａ内に立設される給水および給湯用の配管は、エプロン２ａの裏側から長尺カバー９内を通って配管カバー１２内に立設され水栓７に接続されており、給水用および給湯用の配管は、エプロン２ａと長尺カバー９と配管カバー１２内に完全に隠蔽されている。
【００１１】
図２には、桶台カウンター８の拡大構成図を示す。
また図３では、天板１１の形状の異なる桶台カウンター８を示す。更に図４では、天板１１が長方形状をなす桶台カウンター８の斜視構成図を示す。
なお、図５には、第１実施例の桶台カウンターの構成部材の分解斜視図を示し、また図６では、組み立て状態の側面断面構成図を示す。
桶台カウンター８は、壁面４に固定される基部１３と、この基部１３に固定される４本の棒体１０，１０，１０，１０と、棒体１０，１０，１０，１０の根元１０ｃ，１０ｃ，１０ｃ，１０ｃおよび基部１３を覆蓋する長尺カバー９と、天板１１と、天板１１を固定するためのカラー部材１８と雌ネジ部材１９で構成されている。
【００１２】
先ず、基部１３を説明すると、基部１３は、板金を曲げ加工等して十分な強度が確保できるように構成され、壁面４に固定される上下の固定片１３ａ，１３ａ間に、断面略コの字状に、上下の突出片１３ｂ，１３ｂの前端に傾斜取付片１３ｃが一体形成され、この傾斜取付片１３ｃは、上側が下側よりも洗い場３側へ突出して、約２°程度傾斜されている。
また、上下の固定片１３ａ，１３ａには、それぞれビス孔１３ｄが形成されており、傾斜取付片１３ｃには、棒体１０，１０，１０，１０を固定するための２個一対の取付孔１３ｅ，３ｅがそれぞれ横方向に所定間隔で形成されている。
【００１３】
基部１３の上下の固定片１３ａ，１３ａには、それぞれ係止部材１４が取り付けられるものであり、係止部材１４は、基部１３の固定片１３ａにビス１５で固定される固定片１４ａの先端に爪状のフック片１４ｂが一体形成されている。この係止部材１４は、本例では横方向に間隔をおいて４個、それぞれ基部の上下の固定片１３ａ，１３ｂにビス１５を介して取り付けられるものである。
【００１４】
図６の側面断面図で示すように、ビス１５を係止部材１４の固定片１４ａに通し、更に基部１３の固定片１３ａのビス孔１３ｄに通して、ビス１５を壁面４に締め付けて、ビス１５で基部１３とともに係止部材１４を壁面４に固設できるものである。
なお、基部１３の横方向中央部には、切欠部Ｃを形成しておき、例えばエプロン２ａの裏側に配管された給水配管２０ａを基部１３の上方の突出片１３ｂ上に沿設させて、この切欠部Ｃの位置で上方へ立ち上げて、配管カバー１２内に入れ込むことができ、また下方の突出部１３ｂの下方に、給湯配管２０ｂを沿設させて、給湯配管２０ｂを切欠部Ｃから上方へ立ち上げて、配管カバー１２内に配管できるものである。
【００１５】
次に、棒体１０は、上面に凹部を備え下方へ貫通する孔を有する凹孔１０ａが２個形成されており、図６に示すように、基部１３の傾斜取付片１３ｃに貫通形成されている取付孔１３ｅ，１３ｅ内に、それぞれ裏側からビス１６，１６を通し、棒体１０にビス１６，１６を締め付けて、棒体１０は基部１３の傾斜取付片１３ｃに一対のビス１６，１６で回り止めされた状態に固定されるものである。
なお、基部の傾斜取付片１３ｃは、予め約２°程度傾斜されているため、ビス１６，１６を締め付けて棒体１０を固定した状態では、棒体１０の中心線Ｒ２は、水平線Ｒ１よりも２°傾いた状態で設置されることとなる。
【００１６】
次に、長尺カバー９は、前面片９ａの上端に裏側へ突出状に折り曲げて上面片９ｂが一体形成され、前面片９ａの下端には、折り曲げて下面片９ｃが一体形成されており、押出成形等で長尺に形成して、適宜長さに切断して加工されたものである。
なお、長尺カバー９には、横方向に所定間隔で棒体１０，１０，１０，１０を通すための差込孔９ｄ，９ｄ，９ｄ，９ｄが形成されている。
【００１７】
また、天板１１は、透明の板材を切断して形成されたものであり、横方向に間隔をおいて上下に貫通する孔１１ａ，１１ａ，１１ａ，１１ａが形成されている。
基部１３にビス１６，１６を介して４本の棒体１０，１０，１０を固定しておき、この状態で、基部１３を壁面４にビス１５で固定する際に、係止部材１４も同時に壁面４にビス１５を締め付けて固定することができ、この状態で、長尺カバー９の差込孔９ｄ，９ｄ内に棒体１０，１０を差し込んで、長尺カバー９を壁面４側へ押し付けてゆくと、長尺カバー９の上面片９ｂは、係止部材１４のフック片１４ｂに弾性係止され、長尺カバー９の下面片９ｃは、下方の係止部材１４の下方に配置されるため、下方から下面片９ｃを通して係止部材１４に手回しネジ１７を締め付け、これにより長尺カバー９を固定することができ、長尺カバー９により、基部１３および給水配管２０ａ，給湯配管２０ｂおよび４本の棒体１０，１０，１０，１０の根元部分が覆蓋されて、すっきりとした設置状態が得られるものであり、長尺カバー９からは４本の棒体１０，１０，１０，１０が突出した状態となる。
【００１８】
この状態で、各棒体１０の凹孔１０ａ内に上方より筒状のカラー部材１８を差し込み、複数のカラー部材１８上に天板１１を載せ、孔１１ａを整合させて、孔１１ａの上方より雌ネジ部材１９を孔１１ａ内に差し込んで、棒体１０の凹孔１０ａの下方よりネジ２３を差し込んで、ネジ２３を雌ネジ部材１９に締め付けることで固定することができ、この状態では、雌ネジ部材１９の化粧頭部１９ａとカラー１８間に天板１１が挟まれて固定されることとなる。
【００１９】
その状態で組み付けが完了し、図２に示すように、長尺カバー９からは、４本の棒体１０，１０，１０，１０と、その上面の透明な天板１１と化粧頭部１９ａ，１９ａのみが露出した極めてすっきりとした設置状態が得られるものであり、天板１１は透明であり、洗い場３側への出っ張り感が低減されたものとなり、４本の棒体１０，１０，１０，１０の下方には広い空間が確保され、天板１１上に洗面器を置いて洗髪等を行う際に、足元が広々として使い勝手が良好なものとなる。
【００２０】
なお、前述した如く、各棒体１０，１０，１０，１０の中心線Ｒ２は、水平線Ｒ１よりも２°上傾しているため、天板１１も長尺カバー９側に向かって下傾状をなし、この天板１１上に洗面器を置いた場合に、洗面器が洗い場３側へ落下しにくくなり、洗面器から溢れた水は天板１１上を長尺カバー９側へ流れるため、足元に水がかからないものとなる。
しかも、図６に示すように、天板１１の後端と長尺カバー９間に隙間が形成されるように設定しておけば、この隙間内を湯水が下方へ落下して良好に流されることとなる。
【００２１】
本例の桶台カウンター８では、部品点数が少ないため施工が容易であり、また天板１１，長尺カバー９は型を用いることなく切断加工で成形することができ、安価に成形でき、しかも横方向の長さ寸法等を適宜調整して、横方向長さの異なるものも容易に製作することができるものである。しかも、各棒体１０は同一のものを複数本用いて、この棒体１０のピッチ間隔、および本数を増減させることで、横方向に長さの長い桶台カウンター８も容易に製作することができるものとなり、少ない設備投資でバリエーションの展開が容易なものとなる。
【００２２】
更に、天板１１は図２，図３，図４に示すように、適宜形状の異なるものを容易に製作して意匠を変更させることも可能であり、天板１１の形状に応じて、カラー部材１８および雌ネジ部材１９の使用個数を変えれば良いこととなる。
【００２３】
次に、図７および図８では、組付構造の変更例を示す。
図７および図８では、前述した係止部材１４を省略して、代わりにナット２１を用いるものである。
ナット２１は、棒体１０を通すことのできる通し孔２１ａが貫通形成されており、前端側には鍔部２１ｂが形成され、内部に雌ネジが形成されている。
【００２４】
一方、棒体１０の根元部分には、予め雄ネジ部１０ｂを形成させておき、基部１３にビス１６，１６で棒体１０を固定した後に、長尺カバー９で基部１３と棒体１０の根元の雄ネジ部１０ｂを覆蓋させる際に、前端側から棒体１０に沿ってナット２１を移動させ、ナット２１を図８のように、棒体１０の根元の雄ネジ部１０ｂに螺合させてゆく。
【００２５】
即ち、ナット２１は、長尺カバー９の差込孔９ｄの前面に鍔部２１ｂが当接して、差込孔９ｄを完全に蓋することができ、ナット２１を締め付けてゆくことで、長尺カバー９は壁面４側に押圧されて、長尺カバー９の上面片９ｂおよび下面片９ｃの後端は、壁面９に押し付けられて隙間なく固定されることとなる。
従って、この構造では、長尺カバー９と壁面４間の隙間を無くすことができて、長尺カバー９内への湯水の浸入を確実に防ぐことができるものとなる。
なお、その他の構造は、前記図５および図６に示した構造と同様である。
【図面の簡単な説明】
【００２６】
【図１】桶台カウンターを設置した浴室の要部斜視構成図である。
【図２】桶台カウンターの拡大斜視図である。
【図３】天板の形状を変えた桶台カウンターの斜視構成図である。
【図４】更に形状の異なる天板を備えた桶台カウンターの斜視構成図である。
【図５】桶台カウンターの構成部材の分解斜視図である。
【図６】図５の構成部材を組み付けた状態の側面断面構成図である。
【図７】構成部材の変更例を示す分解斜視図である。
【図８】図７の構成部材を組み付けた状態の側面断面構成図である。
【符号の説明】
【００２７】
１  浴室
２  浴槽
２ａ  エプロン
３  洗い場
４  壁面
５  鏡
７  水栓
８  桶台カウンター
９  長尺カバー
９ａ  前面片
９ｂ  上面片
９ｃ  下面片
９ｄ  差込孔
１０  棒体
１０ａ  凹孔
１０ｂ  雄ネジ部
１０ｃ  根元
１１  天板
１１ａ  孔
１２  配管カバー
１３  基部
１３ａ  固定片
１３ｂ  突出片
１３ｃ  傾斜取付片
１３ｄ  ビス孔
１３ｅ  取付孔
１４  係止部材
１４ａ  固定片
１４ｂ  フック片
１５，１６  ビス
１７  手回しネジ
１８  カラー部材
１９  雌ネジ部材
１９ａ  化粧頭部
２０ａ  給水配管」
２０ｂ  給湯配管
２１  ナット
２１ａ  通し孔
２１ｂ  鍔部
２３  ネジ
Ｃ  切欠部
【図１】
2006212358.tif 000003
【図２】
2006212358.tif 000004
【図３】
2006212358.tif 000005
【図４】
2006212358.tif 000006
【図５】
2006212358.tif 000007
【図６】
2006212358.tif 000008
【図７】
2006212358.tif 000009
【図８】
2006212358.tif 000010